(57)【要約】【課題】顕微鏡の倍率が変更された際に、顕微鏡画像に対して記入されたストロークの表示態様を適切に変更することが可能なコンピュータ装置を提供する。【解決手段】コンピュータ装置は、顕微鏡によって形成された画像を撮影することで生成された画像データが入力される画像データ入力手段と、画像データを表示させた顕微鏡画像に対して記入されたストロークに関する記入情報を受信する受信手段と、顕微鏡における倍率の変更を検知する倍率変更検知手段と、記入情報に基づいて、顕微鏡画像に対して記入されたストロークを描画したストローク画像を、当該顕微鏡画像上に表示させる表示制御手段と、を備え、表示制御手段は、倍率の変更が検知された場合に、変更前の倍率に設定されている際に顕微鏡画像に対して記入されたストロークを描画したストローク画像を、変更後の倍率に合わせて拡大又は縮小して表示させる。【選択図】図１
2013250477.tif 000002
【特許請求の範囲】
【請求項１】
顕微鏡によって形成された画像をカメラにて撮影することで生成された画像データが入力される画像データ入力手段と、
前記画像データを表示させた顕微鏡画像に対して記入されたストロークに関する記入情報を受信する受信手段と、
前記顕微鏡における倍率の変更を検知する倍率変更検知手段と、
前記受信手段によって受信された記入情報に基づいて、前記顕微鏡画像に対して記入されたストロークを描画したストローク画像を、当該顕微鏡画像上に表示させる表示制御手段と、を備え、
前記表示制御手段は、前記倍率変更検知手段によって倍率の変更が検知された場合に、変更前の倍率に設定されている際に前記顕微鏡画像に対して記入されたストロークを描画したストローク画像を、変更後の倍率に合わせて拡大又は縮小して表示させることを特徴とするコンピュータ装置。
【請求項２】
顕微鏡によって形成された画像をカメラにて撮影することで生成された画像データが入力される画像データ入力手段と、
前記画像データを表示させた顕微鏡画像に対して記入されたストロークに関する記入情報を受信する受信手段と、
前記顕微鏡における倍率の変更を検知する倍率変更検知手段と、
前記受信手段によって受信された記入情報に基づいて、前記顕微鏡画像に対して記入されたストロークを描画したストローク画像を、当該顕微鏡画像上に表示させる表示制御手段と、を備え、
前記表示制御手段は、前記倍率変更検知手段によって倍率の変更が検知された場合に、変更前の倍率に設定されている際に前記顕微鏡画像に対して記入されたストロークを描画したストローク画像を非表示とすることを特徴とするコンピュータ装置。
【請求項３】
顕微鏡によって形成された画像をカメラにて撮影することで生成された画像データが入力される画像データ入力手段と、
前記画像データを表示させた顕微鏡画像に対して記入されたストロークに関する記入情報を受信する受信手段と、
前記顕微鏡における倍率の変更を検知する倍率変更検知手段と、
前記受信手段によって受信された記入情報に基づいて、前記顕微鏡画像に対して記入されたストロークを描画したストローク画像を、当該顕微鏡画像上に表示させる表示制御手段と、を備え、
前記表示制御手段は、前記倍率変更検知手段によって倍率の変更が検知された場合において、倍率が増加する方向に変更された場合、
（１）変更前の倍率に設定されている際に前記顕微鏡画像に対して記入されたストロークを描画したストローク画像を、変更後の倍率に合わせて拡大したストローク画像が、画面に所定割合以上表示できる場合には、前記拡大したストローク画像を表示させ、
（２）変更前の倍率に設定されている際に前記顕微鏡画像に対して記入されたストロークを描画したストローク画像を、変更後の倍率に合わせて拡大したストローク画像が、画面に前記所定割合以上表示できない場合には、前記ストローク画像を非表示とすることを特徴とするコンピュータ装置。
【請求項４】
顕微鏡によって形成された画像をカメラにて撮影することで生成された画像データが入力される画像データ入力手段と、
前記画像データを表示させた顕微鏡画像に対して記入されたストロークに関する記入情報を受信する受信手段と、
前記顕微鏡における倍率の変更を検知する倍率変更検知手段と、
前記受信手段によって受信された記入情報に基づいて、前記顕微鏡画像に対して記入されたストロークを描画したストローク画像を、当該顕微鏡画像上に表示させる表示制御手段と、を備え、
前記表示制御手段は、前記倍率変更検知手段によって倍率の変更が検知された場合において、倍率が減少する方向に変更された場合、
（１）変更前の倍率に設定されている際に前記顕微鏡画像に対して記入されたストロークを描画したストローク画像を、変更後の倍率に合わせて縮小したストローク画像が、画面上で所定のサイズ以上である場合には、前記縮小したストローク画像を表示させ、
（２）変更前の倍率に設定されている際に前記顕微鏡画像に対して記入されたストロークを描画したストローク画像を、変更後の倍率に合わせて縮小したストローク画像が、画面上で前記所定のサイズ未満である場合には、前記ストローク画像を非表示とすることを特徴とするコンピュータ装置。
【請求項５】
顕微鏡によって形成された画像をカメラにて撮影することで生成された画像データが入力される画像データ入力手段と、
前記画像データを表示させた顕微鏡画像に対して記入されたストロークに関する記入情報を受信する受信手段と、
前記顕微鏡における倍率の変更を検知する倍率変更検知手段と、
前記受信手段によって受信された記入情報に基づいて、前記顕微鏡画像に対して記入されたストロークを描画したストローク画像を、当該顕微鏡画像上に表示させる表示制御手段と、を備え、
前記表示制御手段は、前記倍率変更検知手段によって倍率の変更が検知された場合に、
（１）倍率の増加度合い又は減少度合いが所定割合以下である場合には、変更前の倍率に設定されている際に前記顕微鏡画像に対して記入されたストロークを描画したストローク画像を、変更後の倍率に合わせて拡大又は縮小して表示させ、
（２）倍率の増加度合い又は減少度合いが前記所定割合を超える場合には、変更前の倍率に設定されている際に前記顕微鏡画像に対して記入されたストロークを描画したストローク画像を非表示とすることを特徴とするコンピュータ装置。
【請求項６】
前記倍率変更検知手段によって倍率の変更が検知された場合に、変更前の倍率に設定されている際の前記顕微鏡画像、及び当該顕微鏡画像に対して記入されたストロークを描画したストローク画像を、一つのファイルとして記憶させる記憶制御手段を更に備えることを特徴とする請求項１乃至５のいずれか一項に記載のコンピュータ装置。
【請求項７】
前記記憶制御手段によって前記ファイルに記憶された画像を再生する再生制御手段を更に備えることを特徴とする請求項６に記載のコンピュータ装置。
【請求項８】
前記再生制御手段は、前記記憶制御手段によって複数の前記ファイルに記憶された画像を、連続的に再生することを特徴とする請求項７に記載のコンピュータ装置。
【請求項９】
前記顕微鏡は、複数の対物レンズを保持すると共に本体に対して回転可能なレボルバと、前記レボルバの回転を検知し、前記対物レンズの位置に応じた回転位置信号を出力する回転位置検知センサとを備え、
前記コンピュータ装置は、前記顕微鏡の前記回転位置検知センサから回転位置信号が入力される回転位置信号入力手段を更に備え、
前記倍率変更検知手段は、前記回転位置信号入力手段に入力された回転位置信号に基づいて、前記顕微鏡における倍率の変更を検知することを特徴とする請求項１乃至８のいずれか一項に記載のコンピュータ装置。
【請求項１０】
前記倍率変更検知手段は、前記回転位置信号に基づいて、変更後の倍率を求め、
前記表示制御手段は、前記倍率変更検知手段によって求められた変更後の倍率に合わせて、前記ストローク画像を拡大又は縮小して表示させることを特徴とする請求項９に記載のコンピュータ装置。
【請求項１１】
前記倍率変更検知手段は、前記顕微鏡画像の明るさの変化に基づいて、前記顕微鏡における倍率の変更を検知することを特徴とする請求項１乃至８のいずれか一項に記載のコンピュータ装置。
【請求項１２】
顕微鏡によって形成された画像をカメラにて撮影することで生成された画像データが入力される画像データ入力手段と、
前記顕微鏡における倍率の変更を検知する倍率変更検知手段と、
前記倍率変更検知手段によって倍率の変更が検知された場合に、変更前の倍率に設定されている際に入力された前記画像データに対応する顕微鏡画像を、一つのファイルとして記憶させる記憶制御手段と、を備えることを特徴とするコンピュータ装置。
【請求項１３】
前記顕微鏡画像に対して記入されたストロークに関する記入情報を受信する受信手段を更に備え、
前記記憶制御手段は、前記倍率変更検知手段によって倍率の変更が検知された場合に、前記受信手段によって受信された記入情報に基づいてストロークを描画したストローク画像を、前記一つのファイルとして前記顕微鏡画像と共に記憶させることを特徴とする請求項１２に記載のコンピュータ装置。
【請求項１４】
請求項１乃至１３のいずれか一項に記載のコンピュータ装置として機能させることを特徴とするプログラム。
【発明の詳細な説明】
【技術分野】
【０００１】
本発明は、電子ペンなどによって記入された手書きストロークを表示する技術分野に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１には、アノトペンが、用紙に印刷された所定のドットパターンを読み取って記入情報を生成し、当該記入情報を端末装置に送信することが記載されている。また、特許文献２には、ドットパターンに対向する電子ペンの角度に起因するドットの画像上の配列を補正する回転補正処理機能が記載されている。
【０００３】
その他にも、本発明に関連する技術が特許文献３、４に開示されている。特許文献３には、顕微鏡画像をパソコン画面に表示するシステムが開示されている。特許文献４には、回転可能なレボルバに複数の対物レンズを設け、レボルバの回転を検知して、対物レンズの位置を検知する顕微鏡が開示されている。
【先行技術文献】
【特許文献】
【０００４】
【特許文献１】特許第３８７２４９８号公報
【特許文献２】特表２００３−５２９８５３号公報
【特許文献３】特表２００２−５０７７８０号公報
【特許文献４】特公平８−１６７３６号公報
【発明の概要】
【発明が解決しようとする課題】
【０００５】
ところで、顕微鏡画像に対して電子ペンなどによって記入されたストロークを、顕微鏡の倍率が変更された際に、変更後の倍率に合わせて表示させたり、消去させたりすることができれば便宜である。そこで、本発明は、顕微鏡の倍率が変更された際に、顕微鏡画像に対して記入されたストロークの表示態様を適切に変更することが可能なコンピュータ装置及びプログラムを提供することを主な目的とする。
【課題を解決するための手段】
【０００６】
本発明の１つの観点では、コンピュータ装置は、顕微鏡によって形成された画像をカメラにて撮影することで生成された画像データが入力される画像データ入力手段と、前記画像データを表示させた顕微鏡画像に対して記入されたストロークに関する記入情報を受信する受信手段と、前記顕微鏡における倍率の変更を検知する倍率変更検知手段と、前記受信手段によって受信された記入情報に基づいて、前記顕微鏡画像に対して記入されたストロークを描画したストローク画像を、当該顕微鏡画像上に表示させる表示制御手段と、を備え、前記表示制御手段は、前記倍率変更検知手段によって倍率の変更が検知された場合に、変更前の倍率に設定されている際に前記顕微鏡画像に対して記入されたストロークを描画したストローク画像を、変更後の倍率に合わせて拡大又は縮小して表示させる。
【０００７】
上記のコンピュータ装置では、画像データ入力手段は、顕微鏡によって形成された画像を撮影することで生成された画像データが入力され、受信手段は、画像データを表示させた顕微鏡画像に対して記入されたストロークに関する記入情報を受信し、倍率変更検知手段は、顕微鏡における倍率の変更を検知する。表示制御手段は、顕微鏡によって形成された画像を撮影することで生成された画像データに対応する顕微鏡画像を表示させると共に、受信手段によって受信された、顕微鏡画像に対して記入されたストロークに関する記入情報に基づいて、当該ストロークを描画したストローク画像を表示させる。具体的には、表示制御手段は、倍率変更検知手段によって倍率の変更が検知された場合に、変更前の倍率に設定されている際に顕微鏡画像に対して記入されたストロークを描画したストローク画像を、変更後の倍率に合わせて拡大又は縮小して表示させる。これにより、顕微鏡の倍率を上げることで、ストロークによりマークした箇所を拡大して観察する場合などに便宜となる。ストロークによりマークした箇所を拡大する方法としては、コンピュータ装置の画面上で画像を拡大する方法もあるが、この方法よりも、顕微鏡の倍率を上げる方法のほうが表示される画像は鮮明である。
【０００８】
本発明の他の観点では、コンピュータ装置は、顕微鏡によって形成された画像をカメラにて撮影することで生成された画像データが入力される画像データ入力手段と、前記画像データを表示させた顕微鏡画像に対して記入されたストロークに関する記入情報を受信する受信手段と、前記顕微鏡における倍率の変更を検知する倍率変更検知手段と、前記受信手段によって受信された記入情報に基づいて、前記顕微鏡画像に対して記入されたストロークを描画したストローク画像を、当該顕微鏡画像上に表示させる表示制御手段と、を備え、前記表示制御手段は、前記倍率変更検知手段によって倍率の変更が検知された場合に、変更前の倍率に設定されている際に前記顕微鏡画像に対して記入されたストロークを描画したストローク画像を非表示とする。
【０００９】
上記のコンピュータ装置では、表示制御手段は、倍率変更検知手段によって倍率の変更が検知された場合に、変更前の倍率に設定されている際に顕微鏡画像に対して記入されたストロークを描画したストローク画像を非表示とする。つまり、表示制御手段は、倍率が変更された際にストローク画像を画面から消去する。これにより、顕微鏡の倍率を上げた顕微鏡画像上に、より細かい注釈を新たに記入する場合などに便宜となる。また、倍率を変更している間に観察対象となっている生物が移動することで、倍率変更後に表示させたストローク（倍率変更前のストロークを拡大又は縮小したストローク）が、倍率変更前にストロークにてマークした生物の箇所からずれてしまうことを抑制できる。
【００１０】
本発明の更に他の観点では、コンピュータ装置は、顕微鏡によって形成された画像をカメラにて撮影することで生成された画像データが入力される画像データ入力手段と、前記画像データを表示させた顕微鏡画像に対して記入されたストロークに関する記入情報を受信する受信手段と、前記顕微鏡における倍率の変更を検知する倍率変更検知手段と、前記受信手段によって受信された記入情報に基づいて、前記顕微鏡画像に対して記入されたストロークを描画したストローク画像を、当該顕微鏡画像上に表示させる表示制御手段と、を備え、前記表示制御手段は、前記倍率変更検知手段によって倍率の変更が検知された場合において、倍率が増加する方向に変更された場合、（１）変更前の倍率に設定されている際に前記顕微鏡画像に対して記入されたストロークを描画したストローク画像を、変更後の倍率に合わせて拡大したストローク画像が、画面に所定割合以上表示できる場合には、前記拡大したストローク画像を表示させ、（２）変更前の倍率に設定されている際に前記顕微鏡画像に対して記入されたストロークを描画したストローク画像を、変更後の倍率に合わせて拡大したストローク画像が、画面に前記所定割合以上表示できない場合には、前記ストローク画像を非表示とする。
【００１１】
上記のコンピュータ装置では、表示制御手段は、倍率変更検知手段によって倍率の変更が検知された場合に、所定の条件に応じて、ストローク画像の表示と非表示とを切り替える。具体的には、表示制御手段は、倍率が増加する方向に変更された場合において、（１）変更後の倍率に合わせて拡大したストローク画像が画面に所定割合以上表示できる場合には、ストローク画像を表示させ、（２）変更後の倍率に合わせて拡大したストローク画像が画面に所定割合以上表示できない場合には、ストローク画像を非表示とする。これにより、変更後の倍率に合わせて拡大したストローク画像が画面に表示しきれないといった状態などの発生を、効果的に抑制することが可能となる。
【００１２】
本発明の更に他の観点では、コンピュータ装置は、顕微鏡によって形成された画像をカメラにて撮影することで生成された画像データが入力される画像データ入力手段と、前記画像データを表示させた顕微鏡画像に対して記入されたストロークに関する記入情報を受信する受信手段と、前記顕微鏡における倍率の変更を検知する倍率変更検知手段と、前記受信手段によって受信された記入情報に基づいて、前記顕微鏡画像に対して記入されたストロークを描画したストローク画像を、当該顕微鏡画像上に表示させる表示制御手段と、を備え、前記表示制御手段は、前記倍率変更検知手段によって倍率の変更が検知された場合において、倍率が減少する方向に変更された場合、（１）変更前の倍率に設定されている際に前記顕微鏡画像に対して記入されたストロークを描画したストローク画像を、変更後の倍率に合わせて縮小したストローク画像が、画面上で所定のサイズ以上である場合には、前記縮小したストローク画像を表示させ、（２）変更前の倍率に設定されている際に前記顕微鏡画像に対して記入されたストロークを描画したストローク画像を、変更後の倍率に合わせて縮小したストローク画像が、画面上で前記所定のサイズ未満である場合には、前記ストローク画像を非表示とする。
【００１３】
上記のコンピュータ装置では、表示制御手段は、倍率が減少する方向に変更された場合において、（１）変更後の倍率に合わせて縮小したストローク画像が画面上で所定のサイズ以上である場合には、ストローク画像を表示させ、（２）変更後の倍率に合わせて縮小したストローク画像が画面上で所定のサイズ未満である場合には、ストローク画像を非表示とする。これにより、変更後の倍率に合わせて縮小したストローク画像のサイズが小さすぎるといった状態などの発生を、より効果的に抑制することが可能となる。
【００１４】
本発明の更に他の観点では、コンピュータ装置は、顕微鏡によって形成された画像をカメラにて撮影することで生成された画像データが入力される画像データ入力手段と、前記画像データを表示させた顕微鏡画像に対して記入されたストロークに関する記入情報を受信する受信手段と、前記顕微鏡における倍率の変更を検知する倍率変更検知手段と、前記受信手段によって受信された記入情報に基づいて、前記顕微鏡画像に対して記入されたストロークを描画したストローク画像を、当該顕微鏡画像上に表示させる表示制御手段と、を備え、前記表示制御手段は、前記倍率変更検知手段によって倍率の変更が検知された場合に、（１）倍率の増加度合い又は減少度合いが所定割合以下である場合には、変更前の倍率に設定されている際に前記顕微鏡画像に対して記入されたストロークを描画したストローク画像を、変更後の倍率に合わせて拡大又は縮小して表示させ、（２）倍率の増加度合い又は減少度合いが前記所定割合を超える場合には、変更前の倍率に設定されている際に前記顕微鏡画像に対して記入されたストロークを描画したストローク画像を非表示とする。
【００１５】
上記のコンピュータ装置によっても、変更後の倍率に合わせて拡大したストローク画像が画面に表示しきれないといった状態や、変更後の倍率に合わせて縮小したストローク画像のサイズが小さすぎるといった状態などの発生を抑制することができる。
【００１６】
上記のコンピュータ装置の一態様では、前記倍率変更検知手段によって倍率の変更が検知された場合に、変更前の倍率に設定されている際の前記顕微鏡画像、及び当該顕微鏡画像に対して記入されたストロークを描画したストローク画像を、一つのファイルとして記憶させる記憶制御手段を更に備える。これにより、設定された倍率ごとに、画像をファイリングすることができる。
【００１７】
上記のコンピュータ装置の他の一態様では、前記記憶制御手段によって前記ファイルに記憶された画像を再生する再生制御手段を更に備える。好適には、前記再生制御手段は、前記記憶制御手段によって複数の前記ファイルに記憶された画像を、連続的に再生することができる。
【００１８】
上記のコンピュータ装置の他の一態様では、前記顕微鏡は、複数の対物レンズを保持すると共に本体に対して回転可能なレボルバと、前記レボルバの回転を検知し、前記対物レンズの位置に応じた回転位置信号を出力する回転位置検知センサとを備え、前記コンピュータ装置は、前記顕微鏡の前記回転位置検知センサから回転位置信号が入力される回転位置信号入力手段を更に備え、前記倍率変更検知手段は、前記回転位置信号入力手段に入力された回転位置信号に基づいて、前記顕微鏡における倍率の変更を検知する。これにより、顕微鏡における倍率の変更を、精度良く検知することができる。
【００１９】
上記のコンピュータ装置において好適には、前記倍率変更検知手段は、前記回転位置信号に基づいて、変更後の倍率を求め、前記表示制御手段は、前記倍率変更検知手段によって求められた変更後の倍率に合わせて、前記ストローク画像を拡大又は縮小して表示させることができる。
【００２０】
上記のコンピュータ装置の他の一態様では、前記倍率変更検知手段は、前記顕微鏡画像の明るさの変化に基づいて、前記顕微鏡における倍率の変更を検知する。例えば、倍率変更検知手段は、顕微鏡画像の明るさが所定以上暗く変化した場合に、顕微鏡の倍率が変更されたと判断する。これにより、上記したような回転位置検知センサを顕微鏡に設けなくて良いため、簡便且つ安価に構成された顕微鏡を用いることができる。
【００２１】
本発明の更に他の観点では、コンピュータ装置は、顕微鏡によって形成された画像をカメラにて撮影することで生成された画像データが入力される画像データ入力手段と、前記顕微鏡における倍率の変更を検知する倍率変更検知手段と、前記倍率変更検知手段によって倍率の変更が検知された場合に、変更前の倍率に設定されている際に入力された前記画像データに対応する顕微鏡画像を、一つのファイルとして記憶させる記憶制御手段と、を備える。
【００２２】
上記のコンピュータ装置によれば、設定された倍率ごとに、画像をファイリングすることができる。
【００２３】
上記のコンピュータ装置において好適には、前記顕微鏡画像に対して記入されたストロークに関する記入情報を受信する受信手段を更に備え、前記記憶制御手段は、前記倍率変更検知手段によって倍率の変更が検知された場合に、前記受信手段によって受信された記入情報に基づいてストロークを描画したストローク画像を、前記一つのファイルとして前記顕微鏡画像と共に記憶させる。
【００２４】
本発明の他の観点では、プログラムは、上記コンピュータ装置として機能させる。当該プログラムを実行することにより、上記のコンピュータ装置を実現することができる。
【発明の効果】
【００２５】
本発明によれば、顕微鏡の倍率が変更された際に、顕微鏡画像に対して記入されたストロークの表示態様を適切に変更することができる。
【図面の簡単な説明】
【００２６】
【図１】本実施形態に係る情報処理システムのシステム構成図である。
【図２】ドットパターンにおけるドットの配置と変換される値との関係を示す説明図である。
【図３】（ａ）はドットパターンを模式的に示し、（ｂ）はそれに対応する情報の例を示す図である。
【図４】電子ペンの構造を示す概略図である。
【図５】コンピュータ装置の機能ブロック図である。
【図６】ストローク表示維持モードを具体的に説明するための図を示す。
【図７】ストローク表示維持モードに設定されている際に行われる処理を説明するための図を示す。
【図８】ストローク消去モードを具体的に説明するための図を示す。
【図９】ストローク消去モードに設定されている際に行われる処理を説明するための図を示す。
【図１０】自動変更モードの一つの例を説明するための図を示す。
【図１１】自動変更モードに設定されている際に行われる処理を説明するための図を示す。
【図１２】自動変更モードの他の例を説明するための図を示す。
【発明を実施するための形態】
【００２７】
以下、図面を参照しながら、本発明の実施の形態について説明する。
【００２８】
［情報処理システムの構成］
図１は、本実施形態に係る情報処理システム１０のシステム構成図である。図１に示すように、情報処理システム１０は、先生などのユーザが使用する電子ペン１と、電子ペン１から記入情報などを受信して種々の処理を行うコンピュータ装置２と、コンピュータ装置２と接続され、レンズによって微小な物体を視覚的に拡大すると共に、レンズによって拡大することで形成された画像のデータをコンピュータ装置２に出力する顕微鏡３と、コンピュータ装置２と接続され、そのディスプレイの表示画面と同じ画像をドットスクリーン５に投影するプロジェクタ４と、ドットパターンが印刷されたドットスクリーン５とを備える。
【００２９】
電子ペン１は、アノトペンなどを利用することができ、ドットパターン（コード化パターン）を読み取って記入情報を生成する。電子ペン１は、生成した記入情報を、Ｂｌｕｅｔｏｏｔｈ（登録商標）等の無線通信方式でコンピュータ装置２に送信する。ドットスクリーン５の表面には、電子ペン１により読み取り可能な、ユニークなドットパターン（コード化パターン）が形成されている。
【００３０】
顕微鏡３は、主に、接眼レンズ３ａと、複数の対物レンズ３ｂと、接眼レンズ３ａ及び対物レンズ３ｂによって拡大された画像を撮影するカメラ３ｃと、複数の対物レンズ３ｂを保持すると共に本体に対して回転可能なレボルバ３ｄと、レボルバ３ｄに設けられ、レボルバ３ｄの回転を検知して、それぞれの対物レンズ３ｂの位置を検知する回転位置検知センサ３ｅ（図１では、説明の便宜上、当該センサ３ｅの図示を省略している）とを備える。
【００３１】
顕微鏡３のカメラ３ｃは、接眼レンズ３ａ及び対物レンズ３ｂによって形成された画像を撮影し、撮影によって生成された画像データをコンピュータ装置２に出力する。顕微鏡３の回転位置検知センサ３ｅは、レボルバ３ｄの回転に基づき、対物レンズ３ｂの位置に応じた回転位置信号をコンピュータ装置２に出力する。例えば、回転位置検知センサ３ｅは、対物レンズ３ｂの数に対応し、かつ、レボルバ３ｄを支持する部材上において所定間隔離間した位置に設けられた磁気センサと、レボルバ３ｄに設けられた１以上の永久磁石とを用いて、対物レンズ３ｂの位置を検知する（例えば特許文献４参照）。なお、対物レンズ３ｂの位置を検知する手法はこれに限定されず、公知の種々の手法を適用することができる。
【００３２】
コンピュータ装置２は、顕微鏡３のカメラ３ｃから入力された画像データに対応する画像（顕微鏡画像）を、プロジェクタ４によりドットスクリーン５に投影表示させる。また、コンピュータ装置２は、電子ペン１によって生成された記入情報に基づいて、当該電子ペン１によってドットスクリーン５に記入されたストロークを描画した画像（ストローク画像）を、プロジェクタ４によりドットスクリーン５に投影表示させる。更に、コンピュータ装置２は、顕微鏡３の回転位置検知センサ３ｅから入力された回転位置信号に基づいて、顕微鏡３における倍率の変更を検知する。そして、コンピュータ装置２は、顕微鏡３における倍率の変更を検知した場合に、変更前の倍率に設定されている際に記入されたストロークを描画したストローク画像の表示態様を変化させる処理を行う（当該処理については、詳細は後述する）。
【００３３】
［ドットパターン］
次に、図２及び図３を参照しながら、ドットスクリーン５に印刷されたアノト方式のドットパターン（コード化パターン）について説明する。図２は、ドットスクリーン５に印刷されたドットパターンのドットと、そのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、ドットスクリーン５上の位置座標が決定されるように構成されている。
【００３４】
図３（ａ）は、あるドットパターンの配列を示している。図３（ａ）に示すように、縦横約２ｍｍの範囲内に６×６個のドットが、ドットスクリーン５上のどの部分から６×６ドットを取っても、ユニークなパターンとなるように配置されている。これら３６個のドットにより形成されるドットパターンは位置座標（例えば、そのドットパターンがドットスクリーン５上のどの位置にあるのか）を保持している。図３（ｂ）は、図３（ａ）に示す各ドットを、格子の基準位置からのシフト方向によって、図２に示す規則性に基づいて、対応づけられた値に変換したものである。この変換は、ドットパターンの画像を撮影する電子ペン１によって行われる。
【００３５】
［電子ペン］
次に、電子ペン１について図４を用いて説明する。図４は、電子ペン１の構造を示す概略図である。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。
【００３６】
ペン部１０４の先端はペン先部１０３となっており、ユーザ（先生など）は、電子ペン１のペン先部１０３をドットスクリーン５に当接させて、ドットスクリーン５にストローク（手書きストローク）を記入したり、電子ペン１のペン先部１０３をドットスクリーン５に当接させてタップ（ペン先部１０３による軽叩）したりする。ここで、電子ペン１のペン先部１０３がドットスクリーン５に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００３７】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりドットスクリーン５にストロークを記入したりタップしたりする際にペン先部１０３からペン部１０４を通じて与えられる圧力、即ち筆圧を検出し、その値をプロセッサ１０８へ伝送する。なお、ペン先部１０３は、インクを有さず、ペン部１０４を介して圧力センサ１０７に筆圧を伝達する。
【００３８】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１によりドットスクリーン５にストロークを記入したりタップしたりすると、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてコンピュータ装置２へ送信する。また、ユーザが１つのストロークを記入し終えて電子ペン１をドットスクリーン５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００３９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、ドットスクリーン５上のペン先部１０３近傍に向けて赤外線を照明する。その領域は、ペン先部１０３がドットスクリーン５に接触する位置とはわずかにずれている。ＣＭＯＳカメラ１０６は、赤外線を透過し赤外線以外を遮断する赤外線透過フィルタが設けられており、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、ドットスクリーン５に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４０】
プロセッサ１０８は、ユーザの記入が行われる間、ＣＭＯＳカメラ１０６によって供給される画像データのドットパターンから、ユーザが記入するストローク（筆跡）のドットスクリーン５上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、ドットスクリーン５における６×６のドットパターンは、ドットスクリーン５内で重複することはないため、ユーザが電子ペン１で文字等を記入すると、記入された位置がドットスクリーン５のどの位置に当たるかを、プロセッサ１０８による座標演算により特定することができる。
【００４１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ、Ｙ座標（座標点）からなり、コンピュータ装置２は、ペンダウン情報及びペンアップ情報によって、１つのストロークを構成する１個又は複数個の座標属性情報を認識する。
【００４２】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。例えば、コンピュータ装置２は、ディスプレイを備えるノート型のＰＣ（パーソナルコンピュータ）、ｉＰａｄ（登録商標）などのタブレットＰＣや、またはＰＤＡ（Ｐｅｒｓｏｎａｌ  Ｄａｔａ  Ａｓｓｉｓｔａｎｃｅ）などで構成される。
【００４３】
図５は、コンピュータ装置２の機能ブロック図である。コンピュータ装置２は、機能的には、マウスやキーボードといった入力手段２１、受信手段２２、処理手段２４、記憶手段２５、表示手段２６、インターフェース２７ａ、２７ｂ、インターフェース２８を備える。受信手段２２は、アンテナ受信回路等により構成され、電子ペン１から記入情報を受信し、受信した記入情報を処理手段２４に伝送する。表示手段２６は、ディスプレイ等によって構成され、処理手段２４によって指示された内容を表示する。
【００４４】
インターフェース２７ａ、２７ｂは、顕微鏡３と接続するためのインターフェースである。具体的には、インターフェース２７ａは、本発明における「画像データ入力手段」として機能し、顕微鏡３のカメラ３ｃによって撮影された画像についての画像データが入力され、当該画像データを処理手段２４に伝送する。他方で、インターフェース２７ｂは、本発明における「回転位置信号入力手段」として機能し、顕微鏡３の回転位置検知センサ３ｅによって検知された、対物レンズ３ｂの位置に応じた回転位置信号が入力され、当該回転位置信号を処理手段２４に伝送する。
【００４５】
なお、２つのインターフェース２７ａ、２７ｂを用いて顕微鏡３と接続することに限定はされず、１つのインターフェースのみを用いて顕微鏡３と接続しても良い。１つのインターフェースのみを用いる場合には、当該インターフェースは、本発明における「画像データ入力手段」及び「回転位置信号入力手段」として機能し、顕微鏡３から画像データ及び回転位置信号の両方が入力される。
【００４６】
インターフェース２８は、プロジェクタ４と接続するためのインターフェースである。インターフェース２８は、処理手段２４の処理命令に基づき、表示手段２６に画像を表示するための画像信号をプロジェクタ４に送信し、表示手段２６の画像と同じ画像を同期して投影させる。
【００４７】
記憶手段２５は、ハードディスクやＲＯＭ、ＲＡＭといったメモリによって構成される。記憶手段２５は、ドットスクリーン５に割り当てられたドットパターンの座標範囲に関する座標定義情報を記憶している。ドットパターンの座標範囲は、矩形の角の位置座標（Ｘｎ，Ｙｎ）、高さ（Ｈ）、幅（Ｗ）によって規定される。また、記憶手段２５は、処理手段２４の処理命令により、電子ペン１から受信した記入情報をペンＩＤ毎に記憶し、さらに、処理手段２４の指示により、記憶領域を確保して、ペンダウンからペンアップまでの記入情報に含まれる座標属性情報をストローク情報として記憶する。
【００４８】
更に、記憶手段２５は、処理手段２４の処理命令により、インターフェース２７ａに入力された画像データに対応する顕微鏡画像を記憶する。具体的には、記憶手段２５は、処理手段２４の処理に従って、顕微鏡３の倍率を変更する前の顕微鏡画像を一つのファイルとして記憶する。この場合、記憶手段２５は、顕微鏡画像（ドットスクリーン５に投影された画像）に対して電子ペン１によってストロークが記入された場合には、当該ストロークを描画したストローク画像も顕微鏡画像と共に記憶する。上記以外にも、記憶手段２５は、処理手段２４の指示により、プログラムの実行により生成される各種情報を記憶する。
【００４９】
処理手段２４は、ＣＰＵ等のプロセッサによって構成され、コンピュータ装置２の全体の制御を行う。具体的には、処理手段２４は、倍率変更検知手段２４１、表示制御手段２４２、記憶制御手段２４３及び再生制御手段２４４を有する。
【００５０】
倍率変更検知手段２４１は、インターフェース２７ｂに入力された回転位置信号に基づいて、つまり顕微鏡３の回転位置検知センサ３ｅによって検知された、対物レンズ３ｂの位置に応じた回転位置信号に基づいて、顕微鏡３の倍率が変更されたことを検知する。この場合、倍率変更検知手段２４１は、対物レンズ３ｂの位置が変化したことを回転位置信号が示している場合に、顕微鏡３の倍率が変更されたと判断する。また、倍率変更検知手段２４１は、回転位置信号に基づいて、変更後における顕微鏡３の倍率を求める。回転位置信号は対物レンズ３ｂの位置に応じた信号であるため、当該回転位置信号から、顕微鏡３において設定されている対物レンズ３ｂを一義的に特定することができる。そのため、倍率変更検知手段２４１は、回転位置信号に基づいて変更後の対物レンズ３ｂを特定し、その対物レンズ３ｂの倍率に基づいて、顕微鏡３における変更後の倍率を求める。この場合、倍率変更検知手段２４１は、例えば回転位置信号と対物レンズ３ｂの倍率とを予め対応付けた情報などを参照して、インターフェース２７ｂに入力された回転位置信号に対応する、変更後の倍率を求める。
【００５１】
また、倍率変更検知手段２４１は、回転位置信号に基づいて、初期に設定された倍率（例えば回転位置検知センサ３ｅへの通電開始時に設定された倍率）を求めておく。こうして初期に設定された倍率を求めておくと共に、倍率が変更される度に変更後の倍率を求めることで、顕微鏡３における変更前の倍率と変更後の倍率とを適切に得ることができる。
【００５２】
なお、顕微鏡３では対物レンズ３ｂだけでなく接眼レンズ３ａも用いられているため、実際には、接眼レンズ３ａの倍率も考慮して、顕微鏡３における変更後の倍率を求めることとなる。この場合、倍率変更検知手段２４１は、回転位置信号に基づいて求めた対物レンズ３ｂの倍率と、接眼レンズ３ａの倍率とを乗算することで得られた値を、変更後の倍率として求めることができる。接眼レンズ３ａの倍率は、例えばユーザが入力手段２１にて入力した倍率を用いることができる。
【００５３】
表示制御手段２４２は、インターフェース２７ａに入力された画像データ（つまり顕微鏡３のカメラ３ｃによる撮影によって生成された画像データ）に基づいて、当該画像データに対応する顕微鏡画像を表示させる制御を行う。また、表示制御手段２４２は、受信手段２２によって受信された記入情報（つまり電子ペン１によって生成された記入情報）に基づいて、電子ペン１によってドットスクリーン５に記入されたストロークを描画したストローク画像を、顕微鏡画像上に表示させる制御を行う。表示制御手段２４２は、このような顕微鏡画像及びストローク画像をプロジェクタ４によりドットスクリーン５に投影表示させるべく、顕微鏡画像及びストローク画像についてのデータを、インターフェース２８を介してプロジェクタ４に送信する。なお、ドットスクリーン５上にストローク画像を投影表示させる場合、キャリブレーションによって、ドットスクリーン５の領域内の座標値と、プロジェクタ４によりドットスクリーン５に画像が投影表示される表示手段２６のディスプレイ領域内における座標値との間で座標変換するための座標変換関数を事前に求めておく必要がある。
【００５４】
更に、表示制御手段２４２は、倍率変更検知手段２４１によって顕微鏡３の倍率が変更されたことが検知された場合に、変更前の倍率に設定されている際に記入されたストロークを描画したストローク画像の表示態様を変化させる。具体的には、表示制御手段２４２は、ストローク表示維持モード、ストローク消去モード及び自動変更モードの中で設定されているモードに応じて、ストローク画像の表示態様を変化させる。例えば、このようなモードは、ユーザが入力手段２１を用いて選択することで設定される。
【００５５】
ストローク表示維持モードに設定されている場合、表示制御手段２４２は、倍率変更検知手段２４１によって顕微鏡３における倍率の変更が検知された場合に、変更前の倍率に設定されている際に記入されたストロークを描画したストローク画像を、変更後の倍率に合わせて表示し直す。つまり、表示制御手段２４２は、ストローク表示維持モードに設定されている場合には、倍率が変更されてもストローク画像の表示を維持する。具体的には、表示制御手段２４２は、倍率変更検知手段２４１によって求められた変更後の倍率に基づいて、変更前の倍率に設定されている際に記入されたストロークを描画したストローク画像を拡大又は縮小して表示させる。
【００５６】
ストローク消去モードに設定されている場合、表示制御手段２４２は、倍率変更検知手段２４１によって顕微鏡３における倍率の変更が検知された場合に、変更前の倍率に設定されている際に記入されたストロークを描画したストローク画像を非表示とする。つまり、表示制御手段２４２は、ストローク消去モードに設定されている場合には、倍率が変更された際にストローク画像を画面から消去する。
【００５７】
自動変更モードに設定されている場合、表示制御手段２４２は、倍率変更検知手段２４１によって顕微鏡３における倍率の変更が検知された場合に、所定の条件に応じて、ストローク画像の表示と非表示とを切り替える。つまり、表示制御手段２４２は、自動変更モードに設定されている場合には、所定の条件に応じて、ストローク表示維持モードとストローク消去モードとを切り替える。
【００５８】
一つの例では、表示制御手段２４２は、自動変更モードに設定されている場合に、顕微鏡３における倍率の増加度合い又は減少度合いに基づいて、ストローク画像の表示と非表示とを切り替える。この例では、表示制御手段２４２は、倍率の増加度合い又は減少度合いが所定割合以下である場合には、変更前の倍率に設定されている際に記入されたストロークを描画したストローク画像を、変更後の倍率に合わせて拡大又は縮小して表示させる。これに対して、表示制御手段２４２は、倍率の増加度合い又は減少度合いが所定割合を超える場合には、変更前の倍率に設定されている際に記入されたストロークを描画したストローク画像を非表示とする。なお、上記した倍率の増加度合い又は減少度合いは、「｜変更後の倍率−変更前の倍率｜／変更前の倍率」といった式や、「変更後の倍率／変更前の倍率」といった式などにより規定される。また、倍率の増加度合い又は減少度合いを判定するための所定割合は、予め決定された値が固定値として用いられる、若しくは、予め決定された値を基準にして適宜変更可能な値が用いられる。
【００５９】
他の例では、表示制御手段２４２は、自動変更モードに設定されている場合に、倍率の増加度合い又は減少度合いを用いる代わりに、変更前の倍率に設定されている際に記入されたストロークを描画したストローク画像を、変更後の倍率に合わせて拡大又は縮小したストローク画像のサイズに基づいて、ストローク画像の表示と非表示とを切り替える。この例では、表示制御手段２４２は、倍率が増加する方向に変更された場合において、変更前の倍率に設定されている際に記入されたストロークを描画したストローク画像を、変更後の倍率に合わせて拡大したストローク画像が、画面に所定割合以上表示できる場合には、拡大したストローク画像を表示させる。これに対して、表示制御手段２４２は、変更前の倍率に設定されている際に記入されたストロークを描画したストローク画像を、変更後の倍率に合わせて拡大したストローク画像が、画面に所定割合以上表示できない場合には、ストローク画像を非表示とする。他方で、表示制御手段２４２は、倍率が減少する方向に変更された場合において、変更前の倍率に設定されている際に記入されたストロークを描画したストローク画像を、変更後の倍率に合わせて縮小したストローク画像が、画面上で所定のサイズ以上である場合には、縮小したストローク画像を表示させる。これに対して、表示制御手段２４２は、変更前の倍率に設定されている際に記入されたストロークを描画したストローク画像を、変更後の倍率に合わせて縮小したストローク画像が、画面上で所定のサイズ未満である場合には、ストローク画像を非表示とする。
【００６０】
記憶制御手段２４３は、倍率変更検知手段２４１によって顕微鏡３における倍率の変更が検知された場合に、倍率が変更される前の画像を一つのファイルとして記憶手段２５に記憶させる。こうして記憶制御手段２４３によって一つのファイルとして記憶される画像は、基本的には動画像であり、顕微鏡画像とストローク画像とが含まれる（顕微鏡画像に対してストロークが記入されていない場合にはストローク画像は含まれない）。
【００６１】
再生制御手段２４４は、記憶制御手段２４３によって記憶手段２５に記憶された画像を読み出して再生する。一つの例では、再生制御手段２４４は、一つのファイルに記憶された画像を動画として再生する、若しくは、複数のファイルに記憶された画像を動画として連続的に再生する。この例では、ストロークが描画される様子も再生されることとなる。他の例では、再生制御手段２４４は、ファイルに記憶された画像を静止画として再生する。この例では、再生制御手段２４４は、ファイルに記憶された動画の中の１つのフレームのみを静止画として表示させる、若しくはファイルに記憶された動画の中の複数のフレームを静止画として表示させる（後者の場合には複数の静止画が並べて表示される）。このように静止画を表示させた場合において、ユーザによって静止画が選択された場合には、再生制御手段２４４は、選択された静止画が含まれる動画を再生する、若しくは選択された静止画を拡大表示させる。
【００６２】
［表示制御方法］
次に、処理手段２４の表示制御手段２４２が行う表示制御方法について具体的に説明する。ここでは、ストローク表示維持モード、ストローク消去モード及び自動変更モードの各モードについて説明する。
【００６３】
（ストローク表示維持モード）
まず、ストローク表示維持モードについて説明する。
【００６４】
図６は、ストローク表示維持モードを具体的に説明するための図を示す。図６（ａ）は、顕微鏡３の倍率が変更される前に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍に設定されている場合を例示している。図６（ａ）に示すように、表示制御手段２４２は、インターフェース２７ａに入力された画像データに基づいて、当該画像データに対応する顕微鏡画像Ｇ１１ａを表示させると共に、受信手段２２によって受信された記入情報に含まれる座標値を、キャリブレーションで得られた座標変換関数によって表示手段２６のディスプレイにおける座標値に変換することで、電子ペン１によってドットスクリーン５に記入されたストロークを描画したストローク画像Ｇ１２ａを、表示手段２６の顕微鏡画像Ｇ１１ａ上に表示させる。
【００６５】
図６（ｂ）は、ストローク表示維持モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍から１０００倍に変更された場合を例示している。図６（ｂ）に示すように、表示制御手段２４２は、インターフェース２７ａに入力された画像データに基づいて、当該画像データに対応する顕微鏡画像Ｇ１１ｂを表示させる。この顕微鏡画像Ｇ１１ｂは、変更後の倍率に設定された際にカメラ３ｃにて撮影された画像に相当する。
【００６６】
また、表示制御手段２４２は、図６（ｂ）に示すように、変更前の倍率に設定されている際に記入されたストロークを描画したストローク画像Ｇ１２ａを、変更後の倍率に応じて拡大したストローク画像Ｇ１２ｂを、顕微鏡画像Ｇ１１ｂ上に表示させる。この場合、表示制御手段２４２は、倍率変更検知手段２４１により求められた変更後の倍率に基づいてストローク画像Ｇ１２ａを拡大することで、ストローク画像Ｇ１２ｂを生成する。より詳しくは、表示制御手段２４２は、このような変更後の倍率と、変更前の倍率（倍率変更検知手段２４１によって求められた、初期設定された倍率、若しくは前回の倍率の変更時に倍率変更検知手段２４１によって求められた倍率）とに基づいて、ストローク画像Ｇ１２ａを拡大するための倍率を求め、当該倍率にてストローク画像Ｇ１２ａを拡大することでストローク画像Ｇ１２ｂを生成する。図６（ｂ）に示す例では、表示制御手段２４２は、ストローク画像Ｇ１２ａを２倍に拡大することでストローク画像Ｇ１２ｂを生成する。
【００６７】
図７は、ストローク表示維持モードに設定されている際に行われる処理を説明するための図を示す。図７に示す処理フローは、コンピュータ装置２によって繰り返し実行される。
【００６８】
図７（ａ）は、ストロークの描画処理を示す処理フローである。まず、ステップＳ１０１では、受信手段２２が電子ペン１から送信された記入情報を受信し、処理手段２４が当該記入情報を記憶手段２５に記憶させる。この記入情報は、電子ペン１によってドットスクリーン５に記入されたストロークに関する情報である。次に、ステップＳ１０２では、表示制御手段２４２が、ステップＳ１０１で記憶手段２５に記憶された記入情報に基づいて、ストロークを描画する。具体的には、表示制御手段２４２は、電子ペン１によってドットスクリーン５に記入されることで受信した記入情報に含まれる座標値を、キャリブレーションで得られた座標変換関数によって表示手段２６のディスプレイにおける座標値に変換してストロークを描画するとともに、ストローク画像を、プロジェクタ４によりドットスクリーン５に投影表示させる。
【００６９】
図７（ｂ）は、ストローク表示維持モードにおいて行われる処理（ストローク表示維持処理）を示す処理フローである。まず、ステップＳ２０１では、倍率変更検知手段２４１が、インターフェース２７ｂに入力された回転位置信号に基づいて、顕微鏡３における対物レンズ３ｂの変更を検知する。具体的には、倍率変更検知手段２４１は、対物レンズ３ｂの位置が変化したことを回転位置信号が示している場合に、対物レンズ３ｂが変更されたと判断する。そして、ステップＳ２０２では、記憶制御手段２４３が、対物レンズ３ｂが変更される前の画像（動画像）を、一つのファイルとして記憶手段２５に記憶させる。
【００７０】
次に、ステップＳ２０３では、倍率変更検知手段２４１が、インターフェース２７ｂに入力された回転位置信号に基づいて、変更後の倍率を求める。例えば、倍率変更検知手段２４１は、回転位置信号と対物レンズ３ｂの倍率とを予め対応付けた情報などを参照して、インターフェース２７ｂに入力された回転位置信号に対応する対物レンズ３ｂの倍率を求めて、当該対物レンズ３ｂの倍率に基づいて変更後の倍率を求める。
【００７１】
次に、ステップＳ２０４では、表示制御手段２４２が、変更前の倍率に設定されている際に記入されたストロークを描画したストローク画像を、ステップＳ２０３で求められた変更後の倍率に合わせて拡大表示又は縮小表示させる。具体的には、表示制御手段２４２は、変更前の倍率（倍率変更検知手段２４１によって求められた、初期設定された倍率、若しくは前回の倍率の変更時に倍率変更検知手段２４１によって求められた倍率）と、ステップＳ２０３で求められた変更後の倍率とに基づいて、描画しているストローク画像を拡大又は縮小する倍率を求め、当該倍率にてストローク画像を拡大表示又は縮小表示させる（図６参照）。
【００７２】
（ストローク表示維持モードの作用効果）
以上説明したストローク表示維持モードによれば、顕微鏡３の倍率が変更された場合に、変更後の倍率に合わせてストロークを適切に表示させることができる。このようなストローク表示維持モードは、対物レンズ３ｂの倍率を上げることで、ストロークによりマークした箇所を拡大して観察する場合などに便宜である。ストロークによりマークした箇所を拡大する方法としては、コンピュータ装置２の画面上で画像を拡大する方法もあるが、この方法よりも、対物レンズ３ｂの倍率を上げる方法のほうが表示される画像は鮮明である。
【００７３】
（ストローク消去モード）
次に、ストローク消去モードについて説明する。
【００７４】
図８は、ストローク消去モードを具体的に説明するための図を示す。図８（ａ）は、顕微鏡３の倍率が変更される前に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍に設定されている場合を例示している。図８（ａ）に示すように、表示制御手段２４２は、インターフェース２７ａに入力された画像データに基づいて、当該画像データに対応する顕微鏡画像Ｇ２１ａを表示させると共に、受信手段２２によって受信された記入情報に含まれる座標値を、キャリブレーションで得られた座標変換関数によって表示手段２６のディスプレイにおける座標値に変換することで、電子ペン１によってドットスクリーン５に記入されたストロークを描画したストローク画像Ｇ２２ａを、表示手段２６の顕微鏡画像Ｇ２１ａ上に表示させる。
【００７５】
図８（ｂ）は、ストローク消去モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５に投影表示される。ここでは、顕微鏡３の倍率が５００倍から１０００倍に変更された場合を例示している。図８（ｂ）に示すように、表示制御手段２４２は、インターフェース２７ａに入力された画像データに基づいて、当該画像データに対応する顕微鏡画像Ｇ２１ｂを表示させる。この顕微鏡画像Ｇ２１ｂは、変更後の倍率に設定された際にカメラ３ｃにて撮影された画像に相当する。
【００７６】
ストローク消去モードに設定されている場合には、上記したストローク表示維持モードに設定されている場合と異なり、表示制御手段２４２は、顕微鏡３の倍率が変更された際に、図８（ｂ）に示すように、変更前の倍率に設定されている際に記入されたストロークを描画したストローク画像Ｇ２２ａを非表示とする。つまり、表示制御手段２４２は、ストローク画像Ｇ２２ａを表示上消去する。
【００７７】
図９は、ストローク消去モードに設定されている際に行われる処理を説明するための図を示す。図９に示す処理フローは、コンピュータ装置２によって繰り返し実行される。
【００７８】
図９（ａ）は、ストロークの描画処理を示す処理フローである。この処理フローは、図７（ａ）に示した処理フローと同様であるため、その説明を省略する。
【００７９】
図９（ｂ）は、ストローク消去モードにおいて行われる処理（ストローク消去処理）を示す処理フローである。ステップＳ３０１〜Ｓ３０３の処理は、図７（ｂ）に示したステップＳ２０１〜２０３の処理と同様であるため、その説明を省略する。ここでは、ステップＳ３０４の処理のみを説明する。ステップＳ３０４では、表示制御手段２４２は、変更前の倍率に設定されている際に記入されたストロークを描画したストローク画像を、画面から消去する。つまり、表示制御手段２４２は、ストローク画像を非表示とする。
【００８０】
（ストローク消去モードの作用効果）
以上説明したストローク消去モードによれば、顕微鏡３の倍率が変更された場合に、倍率の変更前に記入されたストロークを画面から適切に消去することができる。このようなストローク消去モードは、対物レンズ３ｂの倍率を上げた顕微鏡画像上に、より細かい注釈を新たに記入する場合などに便宜である。より細かい注釈などを記入する場合には、倍率の変更前に記入されたストロークを消去して、ストロークが表示されていない顕微鏡画像のみを提示したほうが望ましいからである。
【００８１】
また、ストローク消去モードによれば、対物レンズ３ｂを変更している間に観察対象となっている生物が移動することで、倍率変更後に表示させたストローク（倍率変更前のストロークを拡大又は縮小したストローク）が、倍率変更前にストロークにてマークした生物の箇所からずれてしまうことを抑制できる。
【００８２】
（自動変更モード）
次に、自動変更モードについて説明する。
【００８３】
図１０は、自動変更モードの一つの例を説明するための図を示す。図１０（ａ）は、顕微鏡３の倍率が変更される前に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍に設定されている場合を例示している。図１０（ａ）に示すように、表示制御手段２４２は、インターフェース２７ａに入力された画像データに基づいて、当該画像データに対応する顕微鏡画像Ｇ３１ａを表示させると共に、受信手段２２によって受信された記入情報に含まれる座標値を、キャリブレーションで得られた座標変換関数によって表示手段２６のディスプレイにおける座標値に変換することで、電子ペン１によってドットスクリーン５に記入されたストロークを描画したストローク画像Ｇ３２ａを、表示手段２６の顕微鏡画像Ｇ３１ａ上に表示させる。
【００８４】
図１０（ｂ）は、自動変更モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍から１０００倍に変更された場合を例示している。図１０（ｂ）に示すように、表示制御手段２４２は、インターフェース２７ａに入力された画像データに基づいて、当該画像データに対応する顕微鏡画像Ｇ３１ｂを表示させる。この顕微鏡画像Ｇ３１ｂは、変更後の倍率（１０００倍）に設定された際にカメラ３ｃにて撮影された画像に相当する。
【００８５】
図１０（ｂ）に示す例では、表示制御手段２４２は、倍率の増加度合いが所定割合以下であるものと判断する。例えば、表示制御手段２４２は、「｛｜変更後の倍率−変更前の倍率｜／変更前の倍率｝×１００」といった式により、倍率の増加度合いとして「１００％」といった値を得て、この値が所定割合（例えば２００％）よりも小さいと判断する。そして、表示制御手段２４２は、前述したストローク表示維持モードと同様の手順で、変更前の倍率に設定されている際に記入されたストロークを描画したストローク画像Ｇ３２ａを、変更後の倍率に応じて拡大したストローク画像Ｇ３２ｂを、顕微鏡画像Ｇ３１ｂ上に表示させる。図１０（ｂ）に示す例では、表示制御手段２４２は、ストローク画像Ｇ３２ａを２倍に拡大したストローク画像Ｇ３２ｂを表示させる。
【００８６】
図１０（ｃ）は、自動変更モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍から２０００倍に変更された場合を例示している。図１０（ｃ）に示すように、表示制御手段２４２は、インターフェース２７ａに入力された画像データに基づいて、当該画像データに対応する顕微鏡画像Ｇ３１ｃを表示させる。この顕微鏡画像Ｇ３１ｃは、変更後の倍率（２０００倍）に設定された際にカメラ３ｃにて撮影された画像に相当する。
【００８７】
図１０（ｃ）に示す例では、表示制御手段２４２は、倍率の増加度合いが所定割合を超えるものと判断する。例えば、表示制御手段２４２は、「｛｜変更後の倍率−変更前の倍率｜／変更前の倍率｝×１００」といった式により、倍率の増加度合いとして「３００％」といった値を得て、この値が所定割合（例えば２００％）を超えると判断する。そして、表示制御手段２４２は、前述したストローク消去モードと同様の手順で、変更前の倍率に設定されている際に記入されたストロークを描画したストローク画像Ｇ３２ａを非表示とする。つまり、表示制御手段２４２は、ストローク画像Ｇ３２ａを表示上消去する。
【００８８】
図１１は、自動変更モードに設定されている際に行われる処理を説明するための図を示す。図１１に示す処理フローは、コンピュータ装置２によって繰り返し実行される。
【００８９】
図１１（ａ）は、ストロークの描画処理を示す処理フローである。この処理フローは、図７（ａ）に示した処理フローと同様であるため、その説明を省略する。
【００９０】
図１１（ｂ）は、自動変更モードにおいて行われる処理（自動変更処理）を示す処理フローである。ステップＳ４０１〜Ｓ４０３の処理は、図７（ｂ）に示したステップＳ２０１〜２０３の処理と同様であるため、その説明を省略する。ここでは、ステップＳ４０４以降の処理のみを説明する。
【００９１】
ステップＳ４０４では、表示制御手段２４２は、倍率変更検知手段２４１によって求められた変更前の倍率及び変更後の倍率に基づいて、倍率の増加度合い又は減少度合いを求める。例えば、表示制御手段２４２は、「｜変更後の倍率−変更前の倍率｜／変更前の倍率」といった式や、「変更後の倍率／変更前の倍率」といった式などを用いて、倍率の増加度合い又は減少度合いを求める。そして、表示制御手段２４２は、倍率の増加度合い又は減少度合いが所定割合以下であるか否かを判定する。当該所定割合としては、予め決定された値が固定値として用いられる、若しくは、予め決定された値を基準にして適宜変更可能な値が用いられる。
【００９２】
倍率の増加度合い又は減少度合いが所定割合以下である場合（ステップＳ４０４：Ｙｅｓ）、表示制御手段２４２は、図７（ｂ）に示したステップＳ２０４の処理と同様に、変更前の倍率に設定されている際に記入されたストロークを描画したストローク画像を、変更後の倍率に合わせて拡大表示又は縮小表示させる（ステップＳ４０５）。これに対して、倍率の増加度合い又は減少度合いが所定割合を超える場合（ステップＳ４０４：Ｎｏ）、表示制御手段２４２は、図９（ｂ）に示したステップＳ３０４の処理と同様に、変更前の倍率に設定されている際に記入されたストロークを描画したストローク画像を、画面から消去する（ステップＳ４０６）。
【００９３】
（自動変更モードの作用効果）
以上説明した自動変更モードによれば、倍率の増加度合い又は減少度合いに基づいて、ストローク表示維持モードとストローク消去モードとを適切に切り替えることができる。これにより、変更後の倍率に合わせて拡大したストローク画像が画面に表示しきれないといった状態や、変更後の倍率に合わせて縮小したストローク画像のサイズが小さすぎるといった状態などの発生を適切に抑制することが可能となる。
【００９４】
（自動変更モードの変形例）
上記では、自動変更モードに設定されている場合に、倍率の増加度合い又は減少度合いに基づいてストローク表示維持モードとストローク消去モードとを切り替える例を示したが、他の例では、倍率の増加度合い又は減少度合いを用いる代わりに、変更後の倍率に合わせて拡大又は縮小したストローク画像のサイズに基づいて、このような切り替えを行うことができる。例えば、表示制御手段２４２は、倍率が増加する方向に変更された場合には、（１）変更後の倍率に合わせて拡大したストローク画像が画面に所定割合以上表示できる場合には、ストローク画像を表示させ、（２）変更後の倍率に合わせて拡大したストローク画像が画面に所定割合以上表示できない場合には、ストローク画像を非表示とする。
【００９５】
図１２は、自動変更モードの他の例を説明するための図を示す。図１２（ａ）は、顕微鏡３の倍率が変更される前に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍に設定されている場合を例示している。図１２（ａ）に示すように、表示制御手段２４２は、インターフェース２７ａに入力された画像データに基づいて、当該画像データに対応する顕微鏡画像Ｇ４１ａを表示させると共に、受信手段２２によって受信された記入情報に含まれる座標値を、キャリブレーションで得られた座標変換関数によって表示手段２６のディスプレイにおける座標値に変換することで、電子ペン１によってドットスクリーン５に記入されたストロークを描画したストローク画像Ｇ４２ａを、表示手段２６の顕微鏡画像Ｇ４１ａ上に表示させる。
【００９６】
自動変更モードの他の例では、表示制御手段２４２は、倍率が変更される前に、ストローク画像Ｇ４２ａのサイズなどを求めておく。具体的には、表示制御手段２４２は、図１２（ａ）の左上に示すようなＸ軸及びＹ軸を用いて、ストローク画像Ｇ４２ａに外接する矩形領域ＡＲ１を構成する４つの頂点Ｐ１１、Ｐ１２、Ｐ１３、Ｐ１４の座標を求めると共に、頂点Ｐ１１〜Ｐ１４の座標に基づいて矩形領域ＡＲ１のＸ方向の長さ及びＹ方向の長さ（つまりストローク画像Ｇ４２ａのＸ方向の長さ及びＹ方向の長さ）を求める。
【００９７】
図１２（ｂ）は、自動変更モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍から１０００倍に変更された場合を例示している。図１２（ｂ）に示すように、表示制御手段２４２は、インターフェース２７ａに入力された画像データに基づいて、当該画像データに対応する顕微鏡画像Ｇ４１ｂを表示させる。この顕微鏡画像Ｇ４１ｂは、変更後の倍率に設定された際にカメラ３ｃにて撮影された画像に相当する。
【００９８】
図１２（ｂ）に示す例では、表示制御手段２４２は、変更前の倍率におけるストローク画像Ｇ４２ａを変更後の倍率に合わせて拡大したストローク画像が、画面に所定割合以上表示できるものと判断する。この場合、表示制御手段２４２は、倍率が変更される前に上記した手順にて求められた、ストローク画像Ｇ４２ａに外接する矩形領域ＡＲ１の頂点Ｐ１１〜Ｐ１４の座標や、ストローク画像Ｇ４２ａのＸ方向の長さ及びＹ方向の長さに基づいて、ストローク画像Ｇ４２ａを拡大したストローク画像が画面に所定割合以上表示できると判断する。例えば、表示制御手段２４２は、ストローク画像が画面に所定割合以上表示できるか否かを判断するに当たって、ストローク画像の全面積に対して、画面内に表示されるストローク画像の面積の割合を用いたり、ストローク画像におけるＸ方向の全長及び／又はＹ方向の全長に対して、画面内に表示されるストローク画像のＸ方向の長さ及び／又はＹ方向の長さの割合を用いたりする。また、表示制御手段２４２は、所定割合として、例えば８０％や１００％を用いる。所定割合として１００％を用いた場合には、変更後の倍率に合わせて拡大したストローク画像の全体が画面に表示できるか否かを判断することとなる。
【００９９】
この後、表示制御手段２４２は、図１２（ｂ）に示すように、前述したストローク表示維持モードと同様の手順で、変更前の倍率に設定されている際に記入されたストロークを描画したストローク画像Ｇ４２ａを、変更後の倍率に応じて拡大したストローク画像Ｇ４２ｂを、顕微鏡画像Ｇ４１ｂ上に表示させる。図１２（ｂ）に示す例では、表示制御手段２４２は、ストローク画像Ｇ４２ａを２倍に拡大したストローク画像Ｇ４２ｂを表示させる。
【０１００】
次に、図１２（ｃ）は、顕微鏡３の倍率が変更される前に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍に設定されている場合を例示している。図１２（ｃ）に示すように、表示制御手段２４２は、インターフェース２７ａに入力された画像データに基づいて、当該画像データに対応する顕微鏡画像Ｇ５１ａを表示させると共に、受信手段２２によって受信された記入情報に含まれる座標値を、キャリブレーションで得られた座標変換関数によって表示手段２６のディスプレイにおける座標値に変換することで、電子ペン１によってドットスクリーン５に記入されたストロークを描画したストローク画像Ｇ５２ａを、表示手段２６の顕微鏡画像Ｇ５１ａ上に表示させる。
【０１０１】
図１２（ｃ）に示す例においても、図１２（ａ）に示した例と同様に、表示制御手段２４２は、倍率が変更される前に、ストローク画像Ｇ５２ａのサイズなどを求めておく。具体的には、表示制御手段２４２は、図１２（ｃ）の左上に示すようなＸ軸及びＹ軸を用いて、ストローク画像Ｇ５２ａに外接する矩形領域ＡＲ２を構成する４つの頂点Ｐ２１、Ｐ２２、Ｐ２３、Ｐ２４の座標を求めると共に、頂点Ｐ２１〜Ｐ２４の座標に基づいて矩形領域ＡＲ２のＸ方向の長さ及びＹ方向の長さ（つまりストローク画像Ｇ５２ａのＸ方向の長さ及びＹ方向の長さ）を求める。
【０１０２】
図１２（ｄ）は、自動変更モードに設定されている場合に顕微鏡３の倍率が変更された際に、表示制御手段２４２による制御に基づき、表示手段２６のディスプレイに表示される画面例を示している。この画像は、プロジェクタ４によりドットスクリーン５にも投影表示される。ここでは、顕微鏡３の倍率が５００倍から１０００倍に変更された場合を例示している。図１２（ｄ）に示すように、表示制御手段２４２は、インターフェース２７ａに入力された画像データに基づいて、当該画像データに対応する顕微鏡画像Ｇ５１ｂを表示させる。この顕微鏡画像Ｇ５１ｂは、変更後の倍率に設定された際にカメラ３ｃにて撮影された画像に相当する。
【０１０３】
図１２（ｄ）に示す例では、表示制御手段２４２は、変更前の倍率におけるストローク画像Ｇ５２ａを変更後の倍率に合わせて拡大したストローク画像が、画面に所定割合以上表示できないものと判断する。この場合、表示制御手段２４２は、倍率が変更される前に上記した手順にて求められた、ストローク画像Ｇ５２ａに外接する矩形領域ＡＲ２の頂点Ｐ２１〜Ｐ２４の座標や、ストローク画像Ｇ５２ａのＸ方向の長さ及びＹ方向の長さに基づいて、ストローク画像Ｇ５２ａを拡大したストローク画像が画面に所定割合以上表示できないと判断する。そのため、表示制御手段２４２は、前述したストローク消去モードと同様の手順で、変更前の倍率に設定されている際に記入されたストロークを描画したストローク画像Ｇ５２ａを非表示とする。つまり、表示制御手段２４２は、ストローク画像Ｇ５２ａを表示上消去する。
【０１０４】
以上説明した自動変更モードの他の例によれば、変更後の倍率に合わせて拡大したストローク画像が画面に表示しきれないといった状態などの発生を、より効果的に抑制することが可能となる。
【０１０５】
なお、上記では、自動変更モードの他の例として、倍率が増加する方向に変更された場合について説明したが、自動変更モードの他の例は、倍率が減少する方向に変更された場合にも適用することができる。具体的には、倍率が減少する方向に変更された場合には、表示制御手段２４２は、（１）変更後の倍率に合わせて縮小したストローク画像が画面上で所定のサイズ以上である場合には、ストローク画像を表示させ、（２）変更後の倍率に合わせて縮小したストローク画像が画面上で所定のサイズ未満である場合には、ストローク画像を非表示とする。例えば、表示制御手段２４２は、ストローク画像が画面上で所定のサイズ以上であるか否かを判断するに当たって、ストローク画像の面積や、ストローク画像のＸ方向の長さ及び／又はＹ方向の長さなどを用いることができる。このように、倍率が減少する方向に変更された場合に自動変更モードの他の例を適用することで、変更後の倍率に合わせて縮小したストローク画像のサイズが小さすぎるといった状態などの発生を、より効果的に抑制することが可能となる。
【０１０６】
［変形例］
以下では、上記した実施形態の変形例について説明する。なお、下記の変形例は、任意に組み合わせて実施形態に適用することができる。
【０１０７】
（変形例１）
上記した実施形態では、コンピュータ装置２は、顕微鏡３の回転位置検知センサ３ｅから入力された回転位置信号に基づいて、顕微鏡３における倍率の変更を検知していた。変形例１では、コンピュータ装置２は、このような回転位置信号の代わりに、顕微鏡３のカメラ３ｃによって撮影された顕微鏡画像に基づいて、顕微鏡３における倍率の変更を検知する。具体的には、コンピュータ装置２は、顕微鏡画像の明るさの変化に基づいて、倍率の変更を検知する。こうするのは、レボルバ３ｄを回転させて一の対物レンズ３ｂから他の対物レンズ３ｂへ変更している途中の段階では、顕微鏡３の反射ミラーによって反射された光がレボルバ３ｄの壁などにより遮られることで（つまり反射ミラーからの光がカメラ３ｃに入射しなくなるため）、カメラ３ｃによって撮影される顕微鏡画像が暗くなるためである。したがって、コンピュータ装置２は、顕微鏡画像の明るさが所定以上暗く変化した場合に、顕微鏡３の倍率が変更されたと判断する。
【０１０８】
このような変形例１によれば、顕微鏡３に回転位置検知センサ３ｅを設けなくて良いため、簡便且つ安価に構成された顕微鏡３を用いることができる。なお、回転位置検知センサ３ｅを有しない顕微鏡３を用いる場合には、回転位置信号に基づいて、変更後の倍率を求めることができない。したがって、変更後の倍率は、例えばユーザがコンピュータ装置２の入力手段２１に入力したりする必要がある。但し、ストローク消去モードでは変更後の倍率は特に用いないため、ストローク消去モードについては変形例１をそのまま適用することができる（つまり変更後の倍率をユーザが入力しなくて良い）。
【０１０９】
（変形例２）
上記した実施形態では、電子ペン１によってドットスクリーン５にストロークを記入していた。変形例２では、ドットスクリーン５を用いると共に、若しくはドットスクリーン５を用いる代わりに、コンピュータ装置２の表示手段２６上に配置されたドットパターンオーバーレイヤ（以下「ＤＯＬ」と表記する。）を用いて、電子ペン１によってストロークを記入する。つまり、変形例２は、表示手段２６上に配置されたＤＯＬを用いて、コンピュータ装置２の表示手段２６に表示された顕微鏡画像に対して、電子ペン１によってストロークを記入するものである。
【０１１０】
ＤＯＬは、ポリエチレンテレフタラートなどの透明樹脂基板である基材フィルムに、電子ペン１により読み取ることができるよう赤外線を反射する素材（酸化チタン、コレステリック液晶、赤外線反射性顔料など）を含んだインキによりドットパターンのドットが印刷され、さらに透明なＥＢ硬化樹脂などの保護層で保護された層構成を有している。なお、赤外線を反射する素材でドットパターンを印刷しているのは、ＤＯＬの下層にある表示手段２６から様々な色の可視光が放射されても、電子ペン１によってコントラストよくドットパターンを認識させるのに、望ましいからである。
【０１１１】
なお、上記のようなＤＯＬを用いる場合、キャリブレーションによって、ＤＯＬの領域内の座標値と、コンピュータ装置２の表示手段２６のディスプレイ領域内における座標値との間で座標変換するための座標変換関数を事前に求めておく必要がある。
【０１１２】
（変形例３）
上記した実施形態では、電子ペン１とドットスクリーン５とを用いてストロークを記入する構成を示した。変形例３では、電子ペン１とドットスクリーン５とを用いる代わりに、接触された位置を検知可能な電子黒板を用いてストロークを記入するものである。電子黒板としては、感圧式ボードや電磁式ボードを用いることができる。このような電子黒板には、ドットスクリーン５と同様に、プロジェクタ４により顕微鏡画像やストローク画像が投影表示される。
【０１１３】
感圧式ボードは、所定のペン（スタイラス）により圧力が加わると、ボード中に設けられた電気伝導性の２枚のシートが接触することで電気信号を発生させる。電磁式ボードは、ボード表面の直下にワイヤが埋め込まれており、コイルを埋め込んだスタイラスが接触されると、スタイラスとの電磁誘導に基づき接触位置に相当する電気信号を発生させる。コンピュータ装置２は、このように電子黒板によって生成された電気信号（本発明における「記入情報」に相当する）を所定の受信手段によって受信し、当該電気信号に基づいて、顕微鏡画像に対して記入されたストロークを描画したストローク画像を表示させる。
【０１１４】
なお、更に他の例では、コンピュータ装置２の入力手段２１を用いて、ストロークを記入することとしても良い。典型的には、コンピュータ装置２のマウスを用いて、顕微鏡画像に対してストロークを記入することができる。この例では、ストロークを記入するためのマウス操作により生成された情報が、本発明における「記入情報」に相当する。また、このような記入情報がマウス（入力手段２１）より入力される処理手段２４が、本発明における「受信手段」に相当する。
【０１１５】
（変形例４）
上記では、電子ペン、ドットパターン（コード化パターン）、記入情報に、アノト方式を用いていたが、アノト方式を用いることに限定はされない。
【符号の説明】
【０１１６】
１…電子ペン
２…コンピュータ装置
３…顕微鏡
３ｂ…対物レンズ
３ｃ…カメラ
３ｄ…レボルバ
３ｅ…回転位置検知センサ
４…プロジェクタ
５…ドットスクリーン
２１…入力手段
２２…受信手段
２４…処理手段
２５…記憶手段
２６…表示手段
２７ａ、２７ｂ、２８…インターフェース
【図２】
2013250477.tif 000003
【図３】
2013250477.tif 000004
【図４】
2013250477.tif 000005
【図５】
2013250477.tif 000006
【図７】
2013250477.tif 000007
【図９】
2013250477.tif 000008
【図１１】
2013250477.tif 000009
【図１】
2013250477.tif 000010
【図６】
2013250477.tif 000011
【図８】
2013250477.tif 000012
【図１０】
2013250477.tif 000013
【図１２】
2013250477.tif 000014